(57)【要約】  【課題】  簡単な構造でありかつ暗号操作可能な構造を維持しつつも装置全体をコンパクトに構成された施錠装置を提供する。  【解決手段】  この施錠装置３は、１本の桁部３０を備えており、この桁部に複数の駒部３４、この桁部３０の長手方向に沿って複数の押ボタンスイッチ３２が配列されている。そして、この施錠装置３は、各押ボタンスイッチ３２を操作したときに、その先端部３２ｅに対向する位置に駒部３４の開傾斜部が対向するように各駒部３４を桁部に固定する。そして、押ボタンスイッチ３２を順次押下すると、各押ボタンスイッチ３２が各駒部３４を押して桁部３０を開方向（左方向）に移動させる。すると、第２楔部４６と第１鍵部３８との係合が解け、開錠する。従って、この施錠装置３を用いると、複数の平行な桁部を備える従来の施錠装置に比べ、暗号操作可能な機械的で簡単な構造を維持しつつ、装置全体をコンパクトに構成することができる。【選択図】  図２
2007063949.tif 000002
【特許請求の範囲】
【請求項１】
開閉する一対の部材を閉じたときに、これらの部材に鍵を掛ける施錠装置において、
長尺状に形成され、長手方向に移動可能な桁部と、
前記桁部の長手方向に沿って配列され、押下操作されると先端部が前記桁部に向かって移動する複数の押ボタンスイッチと、
前記桁部に取り付けられ、前記桁部の任意の位置に固定可能に形成された複数の駒部と、
前記各駒部に形成された傾斜面であり、前記押ボタンスイッチが操作され、この押ボタンスイッチの前記先端部が前記桁部に向かう方向に前記傾斜面を押しながらこの傾斜面上を滑ると、前記桁部の長手方向に沿った開方向に前記駒部が移動する形状に形成された開傾斜部と、
前記各押ボタンスイッチに設けられ、前記各押ボタンスイッチが操作される順番に応じて前記駒部を設置する位置を示す目盛部と、
第１鍵部と、
前記桁部に取り付けられ、前記桁部が前記開方向に移動して開位置に達すると、前記第１鍵部との係合が解かれる第２鍵部と
を備えることを特徴とする施錠装置。
【請求項２】
請求項１に記載の施錠装置において、
前記各駒部に形成された傾斜面であり、前記押ボタンスイッチが操作され、この押ボタンスイッチの前記先端部が前記桁部に向かう方向に前記傾斜面を押しながらこの傾斜面上を滑ると、前記桁部の長手方向に沿った閉方向に前記駒部が移動する形状に形成された閉傾斜部を備えることを特徴とする施錠装置。
【請求項３】
請求項２記載の施錠装置において、
前記駒部は、前記桁部に対し軸回転可能に取り付けられ、
前記開傾斜部及び閉傾斜部は、前記先端部に対向する対向側、及び、この対向側の反対側に形成されていることを特徴とする施錠装置。
【請求項４】
請求項３記載の施錠装置において、
前記先端部に対向する対向側に形成された前記開傾斜部の背面にも前記閉傾斜部が形成され、前記対向側の反対側に形成されている閉傾斜部の背面にも前記開傾斜部が形成されていることを特徴とする施錠装置。
【請求項５】
請求項１〜４のいずれかに記載された施錠装置であって、
押下操作すると、前記複数の押ボタンスイッチのうち一番目に押すものとして設定された前記押ボタンスイッチの前記先端部と前記駒部の前記開傾斜部とが当接可能な閉位置まで前記桁部を移動可能な戻操作部を備えることを特徴とする施錠装置。
【請求項６】
請求項１〜５の何れかに記載された施錠装置において、
前記開方向とは反対の閉方向に前記桁部を付勢する付勢手段を備えることを特徴とする施錠装置。
【請求項７】
請求項１〜６のいずれかに記載された施錠装置を備えるインナーミラーにおいて、
前記部材のうち一方の部材はインナーミラーの筐体部であって、他方の部材はインナーミラーのミラー部であり、
前記ミラー部は、運転手席側から助手席側に向かって前記筐体部に対しスライドして開閉し、
前記押ボタンスイッチの押下部は、前記筐体部の上部側面に設けられていることを特徴とするインナーミラー。
【請求項８】
請求項７に記載されたインナーミラーにおいて、
前記筐体内には、カードを収納可能なカード収納部が設けられ、前記運転席側に向かって、前記カード収納部にカードを収納するための挿入口が開口するように配置されていることを特徴とするインナーミラー。
【請求項９】
筐体部とミラー部とを備えるインナーミラーにおいて、
前記ミラー部は、運転手席側から助手席側に向かって前記筐体部に対しスライドして開閉し、
前記筐体部内には、カードを収納可能なカード収納部が設けられ、前記運転席側に向かって、前記カード収納部にカードを収納するための挿入口が開口していることを特徴とするインナーミラー。
【発明の詳細な説明】
【技術分野】
【０００１】
本発明は、予め定められた手順で操作すると開錠する施錠装置及びインナーミラーに関する。
【背景技術】
【０００２】
本願発明者により、簡単な機械的構成のみで暗号操作可能な施錠装置が開示されている（特許文献１）。この施錠装置１００は、図７に示すように、平行に並べられた複数の桁１１１（１１１ａ〜１１１ｈ）と、各桁１１１に取り付けられた開錠用の駒部１１２（１１２ａ〜１１２ｈ）、施錠用の駒部１１３（１１３ａ〜１１３ｈ）、図中の裏面側から操作可能な複数の押ボタンスイッチ１３０を備えている。
【０００３】
この施錠装置１００では、図８に示すように、各桁１１１を開錠に用いるか施錠に用いるかを決定し、例えば、図８（ａ）に示すように、３，５，６，８番の桁部１１１を開錠用に用いる場合、この桁部１１１に取り付けられた開錠用の駒部１１２（１１２ｃ，１１２ｅ，１１２ｆ，１１２ｈ）をそれぞれ適切な位置にずらして配置する。そして、これらの駒部１１２に対向して配置された押ボタン１３０（１３０ｃ→１３０ｈ→１３０ｆ→１３０ｅの順）を操作する。すると、図８（ｂ）に示すように、施錠装置１００のボディ部１１０が次第に移動し、開位置に達すると開錠する。
【特許文献１】特願２００４−３２２１６０
【発明の開示】
【発明が解決しようとする課題】
【０００４】
しかし、この施錠装置１００は、複数の桁１１１が平行に並べられているため、広いスペースを必要とする。そのため、この施錠装置１００は、例えば、ＥＴＣのＭＯＰ化に向けて、ＥＴＣ装置を収納する部分を施錠する装置として設置しようとしても、設置スペースがないため設置できない場合があるという問題があった。
【０００５】
そこで本発明では、上述した問題点を解決し、簡単な構造でありかつ暗号操作可能な構造を維持しつつも、装置全体がコンパクトに構成された施錠装置を提供することを目的とする。
【課題を解決するための手段】
【０００６】
上述した問題を解決するためになされた本発明の施錠装置は、長尺状に形成され、長手方向に移動可能な桁部を一本のみ備えている。また、本発明の施錠装置は、桁部の長手方向に沿って配列され、押下操作されると先端部が桁部に向かって移動する複数の押ボタンスイッチを備えている。さらに、本発明の施錠装置は、桁部に取り付けられ、桁部の任意の位置に固定可能に形成された複数の駒部を備えており、各駒部には開傾斜部が形成されている。この開傾斜部は駒部に形成された傾斜面であり、各押ボタンスイッチが操作され、その先端部が桁部に向かう方向に傾斜部を押しながら滑ると、桁部の長手方向に沿った開方向に駒部及びこの駒部が固定された桁部が移動する。
【０００７】
本発明の施錠装置は、前の押ボタンスイッチが操作されて駒部及び桁部が移動したら、次に操作される押ボタンスイッチの先端部に対向する位置に駒部が来るように、各押ボタンスイッチの対になる駒部を桁部に正確に設置すると、順番に押ボタンスイッチを押す操作をすることで開錠を行うことができる。しかし、駒部を桁部の設置するための目安がないと、駒部を正確に設置することは困難となる。そのため、本発明の施錠装置は、押ボタンスイッチ毎に目盛部を設けた。この目盛部は、各押ボタンスイッチが操作される順番に応じて駒部を設置する位置を示すので、この目盛部を用いることで、上記のような操作をする場合でも、駒部を桁部の所定の位置に簡単に固定することができる。
【０００８】
また、本発明の施錠装置は、施錠を行う構成として、第１鍵部と第２鍵部とを備えている。このうち第２鍵部は、桁部に取り付けられ、桁部が開方向に移動して開位置に達すると、第１鍵部との係合が解かれるよう構成されている。そのため、本発明の施錠装置は、各押ボタンスイッチを順番に操作し、桁部を開位置まで移動させることで、開錠することができる。
【０００９】
このように本発明の施錠装置は、簡単な構造でありかつ暗号操作可能な構造を維持しつつも、複数の桁を備える従来の施錠装置に比べ、桁部を一本しか備えていないため装置全体をコンパクトに構成することができる。
【００１０】
従って、本発明の施錠装置を用いると、従来の施錠装置に比べ、小さな構造物にも取り付けることができる。
尚、駒部は、桁部の長手方向に摺動可能に取り付けられていてもよいし、桁部に対し着脱可能に構成されていてもよい。また、駒部を固定する具体的な方法としては、桁部を把持する方法でもよいし、ネジ止めする方法でもよい。
【００１１】
次に、各駒部は、前述した開傾斜部の他に、次のような閉傾斜部を備えても良い。この閉傾斜部は、押ボタンスイッチが操作され、先端部が桁部に向かう方向に傾斜面を押しながら滑ると、桁部の長手方向に沿った閉方向に駒部が移動する形状に形成された傾斜面である。この閉傾斜部を先端部に対向するように配置すると、桁部は開方向とは反対の方向に移動する。そのため、押ボタンスイッチを操作する正確な手順を知らない者が、本発明の施錠装置を開錠しようとして、先端部が閉傾斜部に対向するように配置された押ボタンスイッチ（以下トラップスイッチという）を押下すると、開方向に移動していた桁部が閉方向に移動してしまう。このように桁部が閉方向に移動してしまうと、その移動先から改めて桁部を開方向に移動させねばならない。しかし、押ボタンスイッチを操作する正確な手順を知らない者は、桁部が閉方向に移動したことすら分からないので、このトラップスイッチを押してしまうと、実質的に、本発明の施錠装置を開けることは不可能である。従って、この閉傾斜部が形成された駒部を備える施錠装置を用いると、本発明の施錠装置の安全性を一層向上させることができる。
【００１２】
次に、駒部は、桁部に対し軸回転可能に取り付けられ、開傾斜部及び閉傾斜部は、先端部に対向する対向側、及び、この対向側の反対側に形成されていてもよい。このように構成すれば、開傾斜部を有する駒部と、閉傾斜部を有する駒部とを別々に用意する必要がないので、部品点数を減らすことができる。この場合、開傾斜部と閉傾斜部とが、駒部を回転するだけで、先端部と対向する位置に形成されていることが特に好ましい。また、先端部に対向する対向側に形成された開傾斜部の背面に閉傾斜部が形成されていてもよいし、その対向側の反対側に形成されている閉傾斜部の背面にも開傾斜部が形成されていてもよいことはもちろんである。
【００１３】
次に、本発明の施錠装置のように、押下操作すると、複数の押ボタンスイッチのうち一番目に押すものとして設定された押ボタンスイッチの先端部と駒部の開傾斜部とが当接可能な閉位置まで桁部を移動可能な戻操作部を備えていることが好ましい。この施錠装置を用いると、押ボタンスイッチの操作を誤っても、最初から操作ができる。
【００１４】
次に、本発明の施錠装置のように、開方向とは反対の閉方向に桁部を付勢する付勢手段を備えていることが好ましい。この付勢手段を備えていると、桁部が常に閉方向に付勢されているので、施錠装置が施錠している状態を維持することができる。
【００１５】
次に、本発明の施錠装置が適用されるものとしては、例えばインナーミラーがある。
インナーミラーに施錠装置が適用された場合、インナーミラーの筐体部を一方の部材、インナーミラーのミラー部を他方の部材とし、ミラー部が筐体部に対して開閉する構造であることが好ましい。そして、このような構造である場合、ミラーは運転席側に開く構造であることが好ましいので、ミラー部は、運転手席側から助手席側に向かって筐体部に対しスライドして開閉するように構成するとよい。そして、押ボタンスイッチは、操作しやすいように、筐体部の上部側面に設けられていることが好ましい。
【００１６】
そして、このインナーミラーの筐体内に、カードを収納可能なカード収納部を設ける場合、カード収納部にカードを収納するための挿入口が、運転席側に向かって開口するようにカード収納部が配置されていることが好ましい。このようにすると、運転席側からカードを出し入れすることができる。また、インナーミラー内にカード収納部を収納しておけば、カード収納部にカードを挿入したままカードを車内に置き忘れても、押ボタンスイッチを正確に操作しないとカードを抜き出すことができないため、カードを抜き忘れたときのカード盗難を防止することができる。
【００１７】
尚、筐体部とミラー部とを備えるインナーミラーにおいて、ミラー部は、運転手席側から助手席側に向かって筐体部に対しスライドして開閉し、筐体部内には、カードを収納可能なカード収納部が設けられ、運転席側に向かって、カード収納部にカードを収納するための挿入口が開口している。
【発明を実施するための最良の形態】
【００１８】
以下、本発明を実施するための最良の形態について図面を用いて説明する。尚、本実施形態は、車両に取り付けられたインナーミラーについて説明しているので、車両の進行方向を前方とし、運転席側を右方、助手席側を左方として説明する。
【００１９】
図１は、本実施形態の施錠装置が取り付けられたインナーミラーの斜視図で、（ａ）は、ミラーを閉じた様子、（ｂ）はミラーを開けた様子を説明するための説明図である。図２は、図１のインナーミラーに取り付けられた施錠装置の模式図で、（ａ）はインナーミラー内に設置された施錠装置を左方向から見た側面図で、インナーミラーについては断面で示したものであり、（ｂ）はインナーミラー内に設置された施錠装置を正面から見た側面図で、インナーミラーについては筐体部を一部分のみ示したものであり、（ｃ）はインナーミラー内に設置された施錠装置を右方向から見た側面図で、インナーミラーについては断面で示したものである。図３は、押ボタンスイッチ３２と駒部３４の拡大図で、（ａ）は押ボタンスイッチ３２、（ｂ）は駒部３４である。
【００２０】
本実施形態のインナーミラー１は、一般的な車両に取り付けられている図示しないフロントガラスの上方であって、フロントガラスの長手方向の中央部付近に設置されている。このインナーミラー１は、図１（ａ）に示すように、土台部１０と、アーム部１２と、本体部１４とから構成されている。このうち土台部１０はフロントガラスの上方近傍の車両のボディ部に固定され、アーム部１２は、この土台部１０から下方に向かって延設されている。そして、本体部１４は、このアーム部１２の下端に取り付けられている。
【００２１】
本体部１４は、左右方向に長尺に形成され、後方側に鏡面が形成されたミラー部１５と、このミラー部１５の背面側（前方側）に設置され、ミラー部１５と同様左右方向に長尺に形成された筐体部１６とを備えている。このうち筐体部１６は、前後方向に厚みがある箱型に形成されている。そして、筐体部１６の厚みをなす側面のうち、上方側の側面１６ａ（以下、上方側面１６ａという）の長手方向の中央部分にアーム部１２の下端が取り付けられている。
【００２２】
ミラー部１５は、図１（ｂ）に示すように、筐体部１６に対し左方向にスライド可能に取り付けられており、このミラー部１５を助手席側（左方向）に移動させると運転席側の筐体部１６を開くことができる。
【００２３】
筐体部１６は、図１（ｂ）に示すように、その内部にＥＴＣ（Ｅｌｅｃｔｒｉｎｉｃ  Ｔｏｌｌ  Ｃｏｌｌｅｃｔｉｏｎ  Ｓｙｓｔｅｍ）用のカード読取装置１７を備えている。この１７は、ミラー部１５を開けると、カード差込口１７ａが運転者側に向くように筐体部１６内に設置されている。また、筐体部１６は、カード読取装置１７を操作するための操作ボタン１７ｂをその内部に備えている。
【００２４】
次に、施錠装置３について説明する。
この施錠装置３は、図２（ａ）に示すように、筐体部１６内に設置されたラック１６ｂに組みつけられている。そして、この施錠装置３は、桁部３０と、複数の押ボタンスイッチ３２と、複数の駒部３４と、目盛部３６と、第１鍵部３８と、第２鍵部４０と、戻駒部５０とを備えている。
【００２５】
桁部３０は、長尺状に形成された棒状の部材であり、筐体部１６内で筐体部１６の長手方向に沿って配置されている。また、この桁部３０は、その長手方向に沿って移動できるようラック１６ｂに取り付けられている。
【００２６】
各押ボタンスイッチ３２は、図２（ｂ）に示すように、桁部３０の上方に、桁部３０の長手方向に沿って配列されている。そして各押ボタンスイッチ３２は、図３（ａ）に示すように、指で押下操作可能な大きさに形成されたボタン部３２ａと、このボタン部３２ａから桁部３０に向かって延設された軸部３２ｂと、この軸部３２ｂと同軸状に取り付けられた鶴巻バネ部３２ｃとを備えている。このうち、鶴巻バネ部３２ｃは、軸部３２ｂの長手方向中央部分に設けられた鍔部３２ｄを介し、図２（ａ）（ｃ）に示すように、ラック１６ｂを土台にして、ボタン部３２ａを上方に向かって付勢している。また、ボタン部３２ａは、筐体部１６の上方側面１６ａから上方にやや突出し、押下操作することができるよう配置されている。このように構成された押ボタンスイッチ３２は、ボタン部３２ａが指で押下操作されると、軸部３２ｂの先端部３２ｅが桁部３０に向かい、その後、押下操作している指を離すと、鶴巻バネ部３２ｃがボタン部３２ａを付勢して、ボタン部３２ａの押下面が上方側面１６ａ上に出る位置まで戻る。
【００２７】
各駒部３４は、図３（ｂ）に示すように、駒部本体３４１と、この駒部本体３４１の上方側に設けられた第１楔部３４２と、その反対側に設けられた第２楔部３４３とからなる。駒部本体３４１は、桁部３０を嵌挿可能な円筒状に形成されており、桁部３０に対し同軸状に取り付けられるとともに、桁部３０に対し、桁部３０の長手方向に沿って摺動可能、かつ、桁部３０の軸周りに軸回転可能に取り付けられている。第１楔部３４２は、右側に、左斜め上方から右斜め下方に向かって傾斜した開傾斜部３４２ａが形成され、その背面側である左側に、右斜め上方から左斜め下方に向かって傾斜した閉傾斜部３４２ｂが形成されている。第２楔部３４３は、右側に、左斜め下方から右斜め上方に向かって傾斜した開傾斜部３４３ａが形成され、その背面側である左側に、右斜め下方から左斜め上方に向かって傾斜した閉傾斜部３４３ｂが形成されている。このうち、第２楔部３４３の閉傾斜部３４３ｂは、駒部本体３４１を軸回転させたとき、第１楔部３４２の開傾斜部３４２ａが位置する位置に配置されるよう形成されている。この駒部３４は、図示しないネジ部を備え、桁部３０の任意の位置に固定することができる。
【００２８】
目盛部３６は、押ボタンスイッチ３２毎に設けられ、各押ボタンスイッチ３２が操作される順番に応じて駒部３４を設置する位置を示すものである。本実施形態の施錠装置３は、押ボタンスイッチ３２を押すと、例えば、開傾斜部３４２ａに押ボタンスイッチ３２の先端部３２ｅが当接し、さらに押すと駒部３４及び桁部３０が桁部３０の長手方向に沿って左方向に所定距離移動する。すると、他の押ボタンスイッチ３２の先端部３２ｅと、他の駒部３４の開傾斜部３４２ａとが対向するので、その対向した押ボタンスイッチ３２を押すと、さらに桁部３０が長手方向に所定距離移動する。そして、以後さらに他の押ボタンスイッチ３２について操作すると同様の動作が繰り返され、桁部３０が開位置に達すると、第１鍵部３８と第２鍵部４０との係合が解け、ミラー部１５を開けることができる。ここで、本実施形態の施錠装置３において暗号操作を行うためには、使用者が操作手順を自由に決めることできるようにすることが必要である。しかし、そのためには、各押ボタンスイッチ３２が押される順番に応じて対応する駒部３４を桁部３０の設置する位置を示す目印がないと、駒部３４を正確に設置することは困難となる。そのため、本実施形態では、いずれの押ボタンスイッチ３２が、何番目に操作されるよう設定されても、各押ボタンスイッチ３２と駒部３４とをその順番のときに当接させることができるように、駒部３４を設置すべき位置を目盛部３６で示している。この目盛部３６を用いることで、上記のような暗号操作をする場合でも、駒部３４を桁部３０の所定の位置に簡単に固定することができる。
【００２９】
第１鍵部３８は、図２に示すように、ミラー部１５の背面から筐体部１６の内部に向かって突出した形状に形成された突起である。
第２鍵部４０は、図２に示すように、鍵軸部４２と、第１楔部４４と、第２楔部４６とを備えている。このうち鍵軸部４２は、桁部３０の下方に桁部３０に平行に配置されている。そしてこの鍵軸部４２は、桁部３０に対し、４つの梁４８を用いて固定されている。第１楔部４４は、この桁部３０の長手方向の右端に固定されており、左斜め上方から右斜め下方に向かって傾斜する傾斜面４４ａが形成されている。第２楔部４６は、上下方向に移動可能にラック１６ｂに取り付けられており、その下端には傾斜面４４ａと平行な傾斜面４６ａが形成されている。この第２鍵部４０では、各押ボタンスイッチ３２が操作されて桁部３０がその長手方向に沿って左に移動すると、第１楔部４４も左方に移動し、傾斜面４６ａが傾斜面４４ａ上を滑って、第２楔部４６が下方に移動する。そしてさらに、桁部３０が開位置まで来ると、第２楔部４６は第１鍵部３８との係合が解ける位置まで移動する。
【００３０】
戻駒部５０は、桁部３０に固定可能な駒部であり、右斜め上から左斜め下に向かって傾斜した傾斜面である戻傾斜部５０ａが形成されている。この戻駒部５０は、この戻駒部５０に対向する押ボタンスイッチ３２（図２（ｂ）の左端のもの）を押下すると、先端部３２ｅが戻傾斜部５０ａに当たる位置に設置されている。この戻駒部５０の戻傾斜部５０ａは、開位置まで移動していた桁部３０を、駒部３４に対向して設けられた他の４つの押ボタンスイッチ３２を操作して開錠するよう設定した場合に、一番最初に押す押ボタンスイッチ３２と駒部３４の開傾斜部３４２ａとが当接する位置まで戻すことができる角度に形成されている。また、この戻駒部５０には、第２目盛部５２が設けられている。この第２目盛部５２は、駒部３４に対向して設けられた残りの４つの押ボタンスイッチ３２のうち、いくつの押ボタンスイッチ３２を開錠用に用いるかにより、戻す距離が異なってくるので、その距離に応じて戻駒部５０を設置する位置を示している。
【００３１】
以上のように構成された施錠装置３は、次のようにして用いる。
ここで、図４〜６は、本実施例の施錠装置３を用いて、施錠及び開錠を行う様子を模式的に示したものである。図４（ａ）は、駒部３４を目盛部３６に合わせて設置する様子、図４（ｂ）は、開錠した様子を示す。図５は、駒部３４の他の設置例を示している。図６は、トラップを設けた場合の駒部３４の設置例を示している。
【００３２】
駒部３４に対向する全ての押ボタンスイッチ３２を操作して開錠を行う場合は、図４（ａ）に示すように、各押ボタンスイッチ３２の操作順がきたときに、各駒部３４の開傾斜部３４２ａが各押ボタンスイッチ３２の先端部３２ｅに対向するように、すべての駒部３４を配置する。この図４（ａ）では、左のものから順に右に操作する場合の例を示しており、駒部３４に対向する押ボタンスイッチ３２のうち左端のものが目盛１に合わせて設置され、その右隣ものは目盛２、さらにその右隣のものは目盛３、右端のものは目盛４に合わせて設置される。そして、このように駒部３４が設置された施錠装置の駒部３４に対向する押ボタンスイッチ３２を左から順に操作すると、図４（ｂ）のように、桁部３０の長手方向に沿って左方向に移動する。そしてこの桁部３０の移動に伴って第１楔部４４が左方向に移動すると、第２楔部４６が第１楔部４４の傾斜面４４ａを滑り、下方に移動する。そして、４番目の押ボタンスイッチ３２が押され、桁部３０が開位置まで移動すると、第２楔部４６が下がりきって、第２楔部４６と第１鍵部３８との係合が解ける。すると図１（ｂ）に示すように、ミラー部１５がスライドして開く。
【００３３】
そして、この開いたミラー部１５を閉じ、戻駒部５０に対向する左端の押ボタンスイッチ３２を押すと、押ボタンスイッチ３２の先端部３２ｅが戻駒部５０の傾斜面５０ａを押して、桁部３０を右方向に移動させる。すると、第１楔部４４が第２楔部４６を押し上げ、図４（ａ）に示すように、第２楔部４６が第１鍵部３８と係合して施錠されるのである。
【００３４】
尚、戻駒部５０は、第２目盛部５２の目盛４に合わせて設置しておけばよい。
ところで、図４では、左から順に、押ボタンスイッチ３２を押すと開錠するように設定したが、図５（ａ）に示すように、右から順に開錠するように設定してもよいし、図５（ｂ）に示すように、その他の順番で設定してもよい。図５（ａ）の施錠装置３は、駒部３４に対向する押ボタンスイッチ３２のうち右端のものが目盛１に合わせて設置され、その左隣ものが目盛２、さらにその左隣のものが目盛３、左端のものが目盛４に合わせて設置されている。図５（ｂ）の施錠装置３は、駒部３４に対向する押ボタンスイッチ３２のうち右から２番目のものが目盛１に合わせて設置され、左端のものが目盛２、さらにその右隣のものが目盛３、右端のものが目盛４に合わせて設置されている。
【００３５】
また、図６に示すように、駒部３４が対向する押ボタンスイッチ３２のうち、３つだけを用いて開錠するように設置してもよい。図６の施錠装置３では、左端の駒部３４が目盛１に合わせて設置され、その右隣ものは目盛２、さらにその右隣のものは目盛３に合わせて設置される。そして、戻駒部５０は、目盛３に合わせて設置される。この場合、開錠に用いない右端の駒部３４は、閉傾斜部３４２ｂあるいは駒部３４を回転させて閉傾斜部３４３ｂが押ボタンスイッチ３２の先端部３２ｅと対向するように設置するとよい。この閉傾斜部３４３ｂが対向する押ボタンスイッチ３２を押すと、桁部３０が左方向（鍵が閉まる方向）に戻される。ここでは、右端の駒部３４は、目盛２に合わせて桁部３０に固定されている。そのため、押ボタンスイッチ３２を操作する正確な手順を知らない者が、本実施形態の施錠装置３を開錠しようとして、先端部３２ｅが閉傾斜部３４２ｂに対向するように配置された押ボタンスイッチ（以下トラップスイッチという）を押下すると、開方向に移動していた桁部３０が閉方向に移動してしまう。このように桁部３０が閉方向に移動してしまうと、その移動先から改めて桁部３０を開方向に移動させねばならない。しかし、押ボタンスイッチ３２を操作する正確な手順を知らない者は、桁部３０が閉方向に移動したことすら分からないので、このトラップスイッチを押してしまうと、実質的に、本実施形態の施錠装置３を開けることは不可能である。従って、この閉傾斜部３４２ｂが形成された駒部３４を備える施錠装置３を用いると、本実施形態の施錠装置３の安全性を一層向上させることができる。
【００３６】
以上説明した本実施形態のインナーミラー１に取り付けられた施錠装置３の作用・効果について、説明する。
本実施形態の施錠装置３は、簡単な構造でありかつ暗号操作可能な構造を維持しつつも、複数の桁を備える従来の施錠装置に比べ、桁部３０を一本しか備えていないため装置全体をコンパクトに構成することができる。従って、本実施形態の施錠装置３を用いると、従来の施錠装置に比べ、上述したインナーミラー１のような小さな構造物にも取り付けることができる。
【００３７】
本実施形態の施錠装置３では、駒部３４が、開傾斜部３４２ａ及び閉傾斜部３４２ｂの両方を備えている。そのため、本実施形態の施錠装置３では、開傾斜部３４２ａを有する駒部３４と、閉傾斜部３４２ｂを有する駒部３４とを別々に用意する必要がないので、従来の施錠装置３に比べ部品点数を減らすことができる。また、この駒部３４は、さらに開傾斜部３４３ａ、３４３ｂを備えているので、見た目など、使用者の好みに合わせて、何れかの傾斜部を選択して利用することができる。さらに、この駒部３４は開傾斜部３４２ａと閉傾斜部３４３ｂとが駒部３４を回転すると同じ位置に配置されるので、駒部３４を設定するとき、駒部３４を回転するだけで、開錠用の押ボタンスイッチ３２をトラップスイッチに簡単に変更することができる。
【００３８】
本実施形態の施錠装置３は、戻駒部５０とこれを操作する押ボタンスイッチ３２（これらは本発明の戻操作部に相当する）を備えている。そのためこの施錠装置３では、押ボタンスイッチ３２の操作を誤っても、最初から操作ができる。
【００３９】
本実施形態の施錠装置３が設けられたインナーミラー１は、ミラー部１５が運転席側に開く構造であり、このミラー部１５を開くと、インナーミラー１内に収納されたカード読取装置１７にカードを収納するためのカード差込口１７ａが、運転席側に向かって開口する。そのため、運転席側からカードを出し入れすることができる。また、インナーミラー１内にカード読取装置１７を収納しておけば、カード読取装置１７にカードを挿入したままカードを車内に置き忘れても、押ボタンスイッチ３２を正確に操作しないとカードを抜き出すことができないため、このインナーミラー１を用いると、カードを抜き忘れてもカード盗難を防止することができる。
【００４０】
尚、以上本発明の一実施形態ついて説明したが、本発明はこの実施形態に何等限定されるものではなく、本発明の要旨を逸脱しない範囲において、種々なる態様で実施し得ることは勿論である。
【００４１】
例えば、上記実施形態では、駒部３４は、桁部３０の長手方向に摺動可能に取り付けられていたが、桁部３０に対し着脱可能に構成されていてもよい。また、駒部３４を固定する具体的な方法としては、桁部３０を把持する方法でもよいし、ネジ止めする方法でもよい
また、開方向とは反対の閉方向に桁部３０を付勢する付勢手段を設けてもよい。この付勢手段を備えていると、桁部３０が常に閉方向に付勢されているので、施錠装置が施錠している状態を維持することができる。
【００４２】
上記実施形態では、トラップスイッチを目盛２、すなわち２番目にトラップスイッチを押すと、開錠できなくなるように設定したが、他の目盛に合わせて、好みの順番にトラップスイッチを押すと開錠できなくなるように設定してもよい。
【図面の簡単な説明】
【００４３】
【図１】本実施形態の施錠装置が取り付けられたインナーミラーの斜視図で、（ａ）は、ミラーを閉じた様子、（ｂ）はミラーを開けた様子を説明するための説明図である。
【図２】インナーミラーに取り付けられた施錠装置の模式図で、（ａ）はインナーミラー内に設置された施錠装置を左方向から見た側面図で、インナーミラーについては断面で示したものであり、（ｂ）はインナーミラー内に設置された施錠装置を正面から見た側面図で、インナーミラーについては筐体部を一部分のみ示したものであり、（ｃ）はインナーミラー内に設置された施錠装置を右方向から見た側面図で、インナーミラーについては断面で示したものである。
【図３】押ボタンスイッチ３２と駒部３４の拡大図で、（ａ）は押ボタンスイッチ３２、（ｂ）は駒部３４である。
【図４】本実施例の施錠装置３を用いて、施錠及び開錠を行う様子を模式的に示したものである。（ａ）は、駒部３４を目盛部３６に合わせて設置する様子、（ｂ）は、開錠した様子を示す。
【図５】本実施例の施錠装置３を用いて、施錠及び開錠を行う様子を模式的に示したものである。図４とは異なる駒部３４の他の設置例を示している。
【図６】本実施例の施錠装置３を用いて、施錠及び開錠を行う様子を模式的に示したものである。トラップスイッチを設けた設置例を示している。
【図７】従来の施錠装置３の斜視図である。
【図８】従来の施錠装置３の模式図である。
【符号の説明】
【００４４】
１…インナーミラー、３…施錠装置、１０…土台部、１２…アーム部、１４…本体部、１５…ミラー部、１６…筐体部、１６ａ…上方側面、１６ｂ…ラック、１７…カード読取装置、１７ａ…カード差込口、１７ｂ…操作ボタン、３０…桁部、３２…押ボタンスイッチ、３２ａ…ボタン部、３２ｂ…軸部、３２ｃ…鶴巻バネ部、３２ｄ…鍔部、３２ｅ…先端部、３４…駒部、３６…目盛部、３８…第１鍵部、４０…第２鍵部、４２…鍵軸部、４４…第１楔部、４４ａ…傾斜面、４６…第２楔部、４６ａ…傾斜面、４８…梁、５０…戻駒部、５０ａ…戻傾斜部、５２…第２目盛部、３４１…駒部本体、３４２…第１楔部、３４２ａ…開傾斜部、３４２ｂ…閉傾斜部、３４３…第２楔部、３４３ａ…開傾斜部、３４３ｂ…閉傾斜部
【図１】
2007063949.tif 000003
【図２】
2007063949.tif 000004
【図３】
2007063949.tif 000005
【図４】
2007063949.tif 000006
【図５】
2007063949.tif 000007
【図６】
2007063949.tif 000008
【図８】
2007063949.tif 000009
【図７】
2007063949.tif 000010